(57)【要約】      （修正有）【課題】  遊技者は、正会員カードを忘れてきた場合でも、正会員カードと同等の遊技を行うことができ、しかも正会員カードと同等の特典を得られるようにする。【解決手段】  会員認証媒体発行装置１０に挿入された正会員カードが会員管理装置３０で認証されると、所定の操作後、会員認証媒体（会員シール）が発行される。この会員シールは携帯電話機などに貼付される。後日、正会員カードを忘れてきたときは、会員認証媒体発行装置１０のシールデータ読取手段１９に携帯電話機（会員シール）をかざすことで会員シールからシールデータが読み取られる。そして、会員管理装置３０で会員シールが認証されると、所定の操作後、会員認証媒体発行装置１０で仮会員カード又は準会員カードが発行される。会員は、その発行された仮会員カード又は準会員カードを用いて、正会員カードと同等の遊技を行い、正会員カードと同等の会員特典を享受する。【選択図】  図１
2006212328.tif 000002
【特許請求の範囲】
【請求項１】
会員に関するデータを管理する会員管理装置を備えた遊技場システムであって、
この遊技場システムに、正会員カードが認証されて所定の会員認証媒体を発行する会員認証媒体発行装置を備え、
この会員認証媒体発行装置は、
前記正会員カードから所定のカードデータを読み取るカードデータ読取手段と、
前記会員管理装置で前記カードデータを用いて前記正会員カードが認証されると、前記会員認証媒体を発行する会員認証媒体発行手段と、
前記会員認証媒体から所定の認証媒体データを読み取る認証媒体データ読取手段と、
前記会員管理装置で前記認証媒体データを用いて前記会員認証媒体が認証されると、正会員カードと同等の遊技及び／又は同等のサービスの享受が可能な仮会員カード及び／又は準会員カードを発行するカード発行手段とを有し、
前記会員管理装置は、
前記カードデータを用いた前記正会員カードの認証、及び／又は、前記認証媒体データを用いた前記会員認証媒体の認証を行う認証手段を有した
ことを特徴とする遊技場システム。
【請求項２】
前記会員認証媒体は、会員シールからなる
ことを特徴とする請求項１記載の遊技場システム。
【請求項３】
前記会員シールは、
前記認証媒体データが記憶される記憶部を有するとともに、セキュリティマークが付されている
ことを特徴とする請求項２記載の遊技場システム。
【請求項４】
前記会員認証媒体発行装置の前記カード発行手段は、
前記会員認証媒体が当該会員認証媒体発行装置の備えられた遊技場で発行されたものと判定されると、前記仮会員カードを発行する
ことを特徴とする請求項１〜３のいずれかに記載の遊技場システム。
【請求項５】
前記会員認証媒体発行装置の前記カード発行手段は、
前記会員認証媒体が当該会員認証媒体発行装置の備えられた遊技場以外の遊技場で発行されたものと判定されると、前記準会員カードを発行する
ことを特徴とする請求項１〜４のいずれかに記載の遊技場システム。
【請求項６】
前記会員認証媒体発行装置の前記カード発行手段は、
前記会員認証媒体が当該会員認証媒体発行装置の備えられた遊技場以外の遊技場で発行されたものと判定され、かつ、当該遊技者が登録会員であると認証されると、前記仮会員カードを発行する
ことを特徴とする請求項１〜５のいずれかに記載の遊技場システム。
【請求項７】
前記会員認証媒体発行装置は、当該会員認証媒体発行装置の備えられた遊技場以外の遊技場で発行された会員認証媒体を用いて最初に準会員カードが発行される場合に、暗証番号を登録するための入力手段を有し、
前記会員管理装置は、準会員に関するデータとともに、登録用の前記暗証番号を記憶する記憶手段を有し、
前記会員管理装置の前記認証手段は、前記会員認証媒体を用いて二回目以降の準会員カードの発行がなされる場合に前記登録暗証番号を用いて前記会員認証媒体を認証する
ことを特徴とする請求項１〜６のいずれかに記載の遊技場システム。
【請求項８】
前記仮会員カード及び／又は前記準会員カードを使用して正会員カードと同等の遊技及び／又は同等のサービスの享受を可能とする有効期間が、当該仮会員カード及び／又は準会員カードの発行日当日限りである
ことを特徴とする請求項１〜７のいずれかに記載の遊技場システム。
【請求項９】
前記会員管理装置は、
前記仮会員カード及び／又は前記準会員カードが所定の回収期間内に回収されていないものと判定されると、カードが使用される周辺機器で当該仮会員カード及び／又は準会員カードを用いて実行された所定の処理の一部又は全部を無効とするカード期限管理手段を有した
ことを特徴とする請求項１〜８のいずれかに記載の遊技場システム。
【請求項１０】
カードが使用される周辺機器で前記仮会員カード及び／又は前記準会員カードを用いて実行される所定の処理は、
残金の精算，預金，獲得遊技媒体の景品交換，獲得遊技媒体の預け入れ，預け入れた獲得遊技媒体の引き落とし，サービスポイントの加算，個人別遊技データの記憶
のうちの一又は二以上を含む
ことを特徴とする請求項１〜９のいずれかに記載の遊技場システム。
【請求項１１】
前記会員管理装置は、
カードが使用される周辺機器で前記準会員カードを用いて実行される所定の処理のうち、獲得遊技媒体の預け入れ及び／又は預け入れた獲得遊技媒体の引き落としを禁止する処理内容管理手段を有した
ことを特徴とする請求項１〜１０のいずれかに記載の遊技場システム。
【請求項１２】
カードが使用される周辺機器は、遊技情報端末を含み、
この遊技情報端末は、前記仮会員カード及び／又は前記準会員カードを用いた遊技情報の閲覧処理を実行する
ことを特徴とする請求項９〜１１のいずれかに記載の遊技場システム。
【請求項１３】
前記仮会員カード及び／又は前記準会員カードは、磁気，バーコード，２次元コード，ＩＣのうちの一又は二以上を用いてカードデータを記憶する
ことを特徴とする請求項１〜１２のいずれかに記載の遊技場システム。
【請求項１４】
会員に関するデータを管理する会員管理装置に通信可能に接続された会員認証媒体発行装置であって、
正会員カードから所定のカードデータを読み取るカードデータ読取手段と、
前記会員管理装置で前記カードデータを用いて前記正会員カードが認証されると、前記会員認証媒体を発行する会員認証媒体発行手段と、
前記会員認証媒体から所定の認証媒体データを読み取る認証媒体データ読取手段と、
前記会員管理装置で前記認証媒体データを用いて前記会員認証媒体が認証されると、正会員カードと同等の遊技及び／又は同等のサービスの享受が可能な仮会員カード及び／又は準会員カードを発行するカード発行手段とを有した
ことを特徴とする会員認証媒体発行装置。
【発明の詳細な説明】
【技術分野】
【０００１】
本発明は、会員の特典として、貯玉，サービスポイント，データ公開など所定のサービスを提供可能な遊技場システム、及びこの遊技場システムに備えられる会員認証媒体発行装置に関し、特に、正会員カードを持参し忘れた会員に対して、その会員が所持する携帯電話機等に予め貼付された会員シールの認証後、仮会員カードあるいは準会員カードを発行し、正会員カードと同等の特典の付与を可能とすることで、サービスの向上を図る遊技場システム及び会員認証媒体発行装置に関する。
【背景技術】
【０００２】
パチンコ機やスロットマシンなどの遊技機が複数設置された遊技場（遊技ホール）においては、より多くの顧客を獲得するために、会員登録が可能な遊技場システムを導入しているところが多い。
この遊技場システムを備えた遊技場では、会員登録を受けた会員に対して、例えば、サービスポイントの付与，貯玉による遊技，ダイレクトメールによるイベント等のお知らせ、所定の装置（例えば、遊技情報端末等）の利用などのサービス（特典）を付与している。
このように会員に対しては種々の特典が与えられることから、遊技客は、通常複数の遊技場で会員登録を行っている。
【０００３】
一方、所定のデータを記憶可能なカード類は、社会生活を営む上において不可欠なものとなってきており、その利用頻度も高まってきている。しかも、カードが使用される分野は多岐にわたり、カードの種類は、例えば、キャッシュカード，ポイントカード，クレジットカード，定期券，学生証，運転免許証など多彩である。このため、個人一人当りが所有するカードの枚数は増加する傾向にある。
このように、ただでさえ所持枚数が多くなりがちなカードに加え、複数の遊技場から会員カードを渡されると、その管理は一層煩雑なものとなる。
【０００４】
ところで、遊技場で会員が特典を受けるためには会員カードが必要であるが、会員の中には、遊ぶために遊技場まで来たものの、管理の煩雑さなどから、会員カードを忘れてきてしまう場合がある。このような場合、遊技自体は行えるものの、会員の特典を受けることはできない。特に遊技を始めるときに必要な、その遊技場の稼動データ（遊技機の稼動実績データ）を閲覧できない。
こうした状況に対応すべく、遊技場側としては、会員カードを持参し忘れた会員に対しても、その者が会員であることを証明・認証できれば、特典を付与して、集客効果の向上を図るシステムの提案が望まれていた。
【０００５】
ここで、会員カードを持参し忘れた会員の認証方法として、例えば、生体認証（バイオメトリクス）や携帯電話ＩＤ認識などが考えられる（例えば、特許文献１参照。）。また、生体認証の具体例としては、例えば、指紋認識、顔認識、掌静脈認識、網膜認識、虹彩認識などが挙げられる。
これらの方法によれば、会員カードを持参しなかった会員に対しても、その認証を行うことができる。
【特許文献１】特開２００２−０１８１１１号公報
【発明の開示】
【発明が解決しようとする課題】
【０００６】
しかしながら、生体認証については多くの問題を抱えている。例えば、生体の特徴を認証の媒体とすることは、その個人にとって犯罪者にまつわる感情的な嫌悪感があり、またプライバシーの侵害につながる欠陥を有している。特に顔認識や指紋はその典型である。
【０００７】
これに対し、完全に普及した携帯電話をその媒体とする携帯電話ＩＤ認識方法は、優位性があり、番号の読み取りに加えて、ＩＤタグを備えた携帯電話も提案されている。
しかし、これらの方法は、読み取り装置が高価で、なおかつデータの加工処理が複雑で、管理装置の負担が大きい欠点がある。
【０００８】
本発明は、上記の事情にかんがみなされたものであり、安価かつ簡易な構成で既存の遊技場に簡単に設置可能な装置によって会員登録の認証を可能とし、これにより、会員カードを持参し忘れた会員に対しても特典を付与することができる遊技場システム及び会員認証媒体発行装置の提供を目的とする。
【課題を解決するための手段】
【０００９】
この目的を達成するため、本発明の遊技場システムは、会員に関するデータを管理する会員管理装置を備えた遊技場システムであって、この遊技場システムに、正会員カードが認証されて所定の会員認証媒体を発行する会員認証媒体発行装置を備え、この会員認証媒体発行装置は、正会員カードから所定のカードデータを読み取るカードデータ読取手段と、会員管理装置でカードデータを用いて正会員カードが認証されると、会員認証媒体を発行する会員認証媒体発行手段と、会員認証媒体から所定の認証媒体データを読み取る認証媒体データ読取手段と、会員管理装置で認証媒体データを用いて会員認証媒体が認証されると、正会員カードと同等の遊技及び／又は同等のサービスの享受が可能な仮会員カード及び／又は準会員カードを発行するカード発行手段とを有し、会員管理装置は、カードデータを用いた正会員カードの認証、及び／又は、認証媒体データを用いた会員認証媒体の認証を行う認証手段を有した構成としてある。
【００１０】
遊技場システムをこのような構成とすると、この遊技場システムに備えられた会員認証媒体発行装置により、会員認証媒体（会員シール），仮会員カード，準会員カードを発行することができる。
会員は、会員認証媒体発行装置に正会員カードを挿入して認証されると会員認証媒体の発行を受け、携帯電話機など常時所持している物に貼付する。後日、遊技を行うために遊技場に来たものの正会員カードを忘れてきたときは、携帯電話機等に予め貼付しておいた会員認証媒体を会員認証媒体発行装置の認証媒体データ読取手段（シールデータ読取手段）にかざし、暗証番号の入力等所定の操作を行うことにより、仮会員カードの発行を受けることができる。これにより、会員は、その仮会員カードを用いて遊技情報端末での閲覧や遊技機での遊技などを行うことができ、しかも正会員カードと同等のサービスを受けることができる。このような会員救済サービスを提供可能とすることで、遊技場側は、顧客の固定化さらには増加を見込むことができる。
【００１１】
さらに、会員認証媒体の発行を受けた遊技者は、会員認証媒体発行装置は設置されているものの会員登録を受けていない他の遊技場へ行き、その会員認証媒体を用いて準会員カードの発行を受け、その遊技場で遊技を行い、会員特典を受けることも可能である。このため、遊技場側にとっては、本発明の遊技場システムを導入することにより、顧客の増加を見込むことができる。しかも、その遊技者に対して会員登録を促すことにより、会員登録の促進を図ることができる。
【００１２】
また、本発明の遊技場システムは、会員認証媒体が、会員シールからなる構成としてある。
遊技場システムをこのような構成とすれば、会員認証媒体を安価な会員シールで構成でき、その会員シールを発行する装置自体も安価に製造できる。しかも、本発明の遊技場システムの構成は、従来の遊技場システムと比較して、会員認証媒体発行装置を新たに接続した点が相違するのみで、簡易な構成となっている。
したがって、本発明の遊技場システムは、安価かつ簡易な構成で既存の遊技場に簡単に設置可能な装置によって会員登録の認証を可能とし、これにより、会員カードを持参し忘れた会員に対しても特典を付与することができ、さらなる顧客の獲得を促進させることができる。
【００１３】
さらに、会員シールは、生体認証と異なり、生体の特徴を認証の媒体とするものではない。このため、会員に対して、犯罪者にまつわる感情的な嫌悪感を与えることがなく、また、プライバシーの侵害につながる欠陥もない。
しかも、会員シールは、携帯電話ＩＤ認証方法と比較して、読み取り装置が安価であり、なおかつデータの加工処理が簡単で、管理装置の負担が小さくてすむ。
加えて、会員シールは、携帯電話機など会員が常時所持する物に単に貼り付けておけばよく、携帯電話機を操作して番号を読み取らせる手間が無く、また、番号がリークする心配もない。このように、会員シールは、その扱いが非常に簡単であるため、会員に殆ど負担をかけることなく、その会員の認証を容易に行うことができる。
【００１４】
また、本発明の遊技場システムは、会員シールが、認証媒体データが記憶される記憶部を有するとともに、セキュリティマークが付されている構成としてある。
遊技場システムをこのような構成とすると、会員シールの記憶部に認証媒体データ（会員が所属する遊技場を特定するデータや、会員登録に関するデータなど）を記憶させることができる。
しかも、セキュリティマークが付されることで、会員シールの安易な複製を防止できる。
【００１５】
また、本発明の遊技場システムは、会員認証媒体発行装置のカード発行手段が、会員認証媒体が当該会員認証媒体発行装置の備えられた遊技場で発行されたものと判定されると、仮会員カードを発行する構成としてある。
遊技場システムをこのような構成とすれば、正会員カードを忘れてきた会員に対し仮会員カードを発行して、正会員カードと同等のサービスを提供できる。
【００１６】
また、本発明の遊技場システムは、会員認証媒体発行装置のカード発行手段が、会員認証媒体が当該会員認証媒体発行装置の備えられた遊技場以外の遊技場で発行されたものと判定されると、準会員カードを発行する構成としてある。
遊技場システムをこのような構成とすると、他店（当該会員認証媒体発行装置の備えられた遊技場以外の遊技場）で会員認証媒体の発行を受けた遊技者を準会員として扱うことができ、来店者数の増加を見込むことができる。そして、獲得遊技媒体を貯玉可能とするために会員登録を勧めるなどして、会員登録の促進を図ることができる。
【００１７】
また、本発明の遊技場システムは、会員認証媒体発行装置のカード発行手段が、会員認証媒体が当該会員認証媒体発行装置の備えられた遊技場以外の遊技場で発行されたものと判定され、かつ、当該遊技者が登録会員であると認証されると、仮会員カードを発行する構成としてある。
遊技場システムをこのような構成とすれば、自店（当該会員認証媒体発行装置の備えられた遊技場）で会員登録しているが他店で会員認証媒体の発行を受けた遊技者について、未だ自店の登録会員であるとの認証がなされていない遊技者に対しては準会員カードを発行し、その後、登録会員の認証がなされれば仮会員カードを発行することができる。この場合、準会員カードの発行に際しては、準会員用ファイルを作成して会員登録データを管理し、仮会員カードの発行に際しては、その準会員用ファイルで管理されていた会員登録データを正会員用ファイルに加算して管理することができる。
【００１８】
また、本発明の遊技場システムは、会員認証媒体発行装置が、当該会員認証媒体発行装置の備えられた遊技場以外の遊技場で発行された会員認証媒体を用いて最初に準会員カードが発行される場合に、暗証番号を登録するための入力手段を有し、会員管理装置は、準会員に関するデータとともに、登録用の暗証番号を記憶する記憶手段を有し、会員管理装置の認証手段は、会員認証媒体を用いて二回目以降の準会員カードの発行がなされる場合に登録暗証番号を用いて会員認証媒体を認証する構成としてある。
遊技場システムをこのような構成とすると、二回目以降の会員認証媒体の認証においては、認証媒体データと暗証番号との双方を用いて行うことができる。
【００１９】
また、本発明の遊技場システムは、仮会員カード及び／又は準会員カードを使用して正会員カードと同等の遊技及び／又は同等のサービスの享受を可能とする有効期間が、当該仮会員カード及び／又は準会員カードの発行日当日限りである構成としてある。
遊技場システムをこのような構成とすれば、仮会員カード等の有効期間が発行日当日限りであるため、翌日以降には、もはやその仮会員カード等を用いて正会員カードと同等の遊技を行いあるいは同等のサービスを享受することはできなくなる。このため、仮会員カード等を当日中に回収し、当日中の精算等を促すことができる。また、カードが回収されない限り、以後の仮（準）会員カードの発行を停止することもできる。
【００２０】
また、本発明の遊技場システムは、会員管理装置が、仮会員カード及び／又は準会員カードが所定の回収期間内に回収されていないものと判定されると、カードが使用される周辺機器で当該仮会員カード及び／又は準会員カードを用いて実行された所定の処理の一部又は全部を無効とするカード期限管理手段を有した構成としてある。
遊技場システムをこのような構成とすると、仮会員カードや準会員カードの回収を促すことができる。
【００２１】
また、本発明の遊技場システムは、カードが使用される周辺機器で仮会員カード及び／又は準会員カードを用いて実行される所定の処理が、残金の精算，預金，獲得遊技媒体の景品交換，獲得遊技媒体の預け入れ，預け入れた獲得遊技媒体の引き落とし，サービスポイントの加算，個人別遊技データの記憶のうちの一又は二以上を含む構成としてある。
遊技場システムをこのような構成とすれば、仮会員カードや準会員カードの回収を促すことができる。
【００２２】
また、本発明の遊技場システムは、会員管理装置が、カードが使用される周辺機器で準会員カードを用いて実行される所定の処理のうち、獲得遊技媒体の預け入れ及び／又は預け入れた獲得遊技媒体の引き落としを禁止する処理内容管理手段を有した構成としてある。
遊技場システムをこのような構成とすると、法上の規制に対応させることができる。
【００２３】
また、本発明の遊技場システムは、カードが使用される周辺機器が、遊技情報端末を含み、この遊技情報端末は、仮会員カード及び／又は準会員カードを用いた遊技情報の閲覧処理を実行する構成としてある。
遊技場システムをこのような構成とすれば、仮会員カード等を用いて遊技情報端末にて遊技情報を閲覧することができる。これにより、遊技場側は、会員登録のメリットの一つである遊技情報の閲覧を、正会員カードを忘れてきた会員に対しても提供することができる。
【００２４】
また、本発明の遊技場システムは、仮会員カード及び／又は準会員カードが、磁気，バーコード，２次元コード，ＩＣのいずれか一又は二以上を用いてカードデータを記憶する構成としてある。
遊技場システムをこのような構成とすると、それら磁気などを用いて仮会員カードや準会員カードに所定のデータを記憶させることができる。
【００２５】
また、本発明の会員認証媒体発行装置は、会員に関するデータを管理する会員管理装置に通信可能に接続された会員認証媒体発行装置であって、正会員カードから所定のカードデータを読み取るカードデータ読取手段と、会員管理装置でカードデータを用いて正会員カードが認証されると、会員認証媒体を発行する会員認証媒体発行手段と、会員認証媒体から所定の認証媒体データを読み取る認証媒体データ読取手段と、会員管理装置で認証媒体データを用いて会員認証媒体が認証されると、正会員カードと同等の遊技及び／又は同等のサービスの享受が可能な仮会員カード及び／又は準会員カードを発行するカード発行手段とを有した構成としてある。
【００２６】
会員認証媒体発行装置をこのような構成とすれば、正会員カードの認証にもとづく会員認証媒体の発行や、会員認証媒体の認証にもとづく仮会員カード・準会員カードの発行を行うことができる。
このため、正会員カードを忘れてきた遊技者に対して仮会員カードを発行し、その者に正会員カードと同等のサービスを提供することができる。
さらに、会員シールの発行を受けた遊技者は、会員登録を受けていない他の遊技場へ行き、そこに設置されている会員認証媒体発行装置で準会員カードの発行を受けて、遊技を行い、正会員カードと同等のサービスを受けることができる。
【発明の効果】
【００２７】
本発明によれば、遊技場システムに会員認証媒体発行装置が備えられており、この会員認証媒体発行装置は、会員シールの認証後、仮会員カードあるいは準会員カードを発行することができる。このため、会員は、会員シールの発行を受け、この会員シールを携帯電話機など常時所持する物に貼付しておくことで、後日遊技場へ来たものの正会員カードを持参し忘れたときに、仮会員カードの発行を受けて、正会員カードと同等の会員特典を得ることができる。
また、会員シールの発行を受けた遊技者が、会員登録を受けていない遊技場で、その遊技場に設置された会員認証媒体発行装置から準会員カードの発行を受けることにより、その遊技場において、正会員カードと同等のサービスを受けることができる。
さらに、会員シールは安価なものであり、その会員シールを発行する会員認証媒体発行装置自体も安価に製造可能である。また、仮（準）会員カードは、その遊技場で現用のものを使用することができる。このため、本発明は、既に遊技場に設置されている遊技場システムに簡単に適用でき、したがって、会員カードを持参し忘れた会員に対しても特典の付与を可能とする遊技場システムを、安価かつ簡易な構成で構築できる。
【発明を実施するための最良の形態】
【００２８】
以下、本発明に係る遊技場システム及び会員認証媒体発行装置の好ましい実施形態について、図面を参照して説明する。
【００２９】
［遊技場システム及び会員認証媒体発行装置］
まず、本発明の遊技場システム及び会員認証媒体発行装置の実施形態について、図１を参照して説明する。
同図は、本実施形態の遊技場システムの構成を示すブロック図である。この発明の会員シールシステムを適用できる遊技場システムは、会員カードを現金受入型カード台間機に挿入して、現金を投入するとその金額がカードに加算記録され、この金額を所定単位（５００円）毎に引落して遊技媒体の貸出しを受け遊技を行う。遊技終了後の残金は精算繰越ができる。遊技の結果、獲得した遊技媒体を、景品に交換するか又は任意の数を貯玉することが可能で、その貯玉数はカードに加算記録される。カードに記録された貯玉は景品に交換又は再プレイのために引落ができる。払出数に手数料を加えた貯玉が引落される。課金、精算、貸出、遊技状態、獲得遊技媒体、景品交換、貯玉、貯玉引落等のデータは、カード台間機、精算機、遊技機、遊技媒体計数機、景品ＰＯＳ等周辺機器と通信回線を通じて接続された会員管理装置及び遊技場管理装置に送信され、会員個人別に管理され、所定の特典（サービスポイントなど）が付与される。また、会員カードの挿入により、その遊技場に設置された遊技機の遊技情報や、会員個人の遊技履歴情報を開示する、遊技情報端末が設置されている。また図示しないが、遊技場によって、発行した会員カードがカード台間機で受付ができない仕様である場合は、各遊技機の近傍にカードリーダを設けて、会員遊技者を特定して、遊技情報を管理し、貯玉の引落は別に設置した再プレイ機で払出す。このような遊技システムの通信回線に本発明の会員認証媒体発行装置（会員シール発行機）１０が接続されている。
【００３０】
ここで、会員認証媒体発行装置１０は、主として、正会員カード（通常の会員カード）からカードデータを読み取りその正会員カードが認証されると会員認証媒体（例えば、会員シール（後述）など）を発行する機能や、会員認証媒体から認証媒体データを読み取りその会員認証媒体が認証されると仮会員カードあるいは準会員カードを発行する機能などを備えた装置である。仮会員カード及び準会員カードは、その遊技場で発行されている会員カードと同等の仕様を備えるカードである。
なお、本実施形態においては、会員認証媒体として会員シールを用いるものとし、会員認証媒体発行装置として会員シール発行装置を用いるものとする。
【００３１】
この会員認証媒体発行装置（会員シール発行装置）１０は、図２〜図４に示すように、会員カード挿入口１１と、カードデータ読取手段１２と、カード搬送手段１３と、原反ロール１４と、バーコードプリンタ１５と、コート剤塗布手段１６と、シール発行口１７と、シール送出手段１８と、シールデータ読取手段１９と、カードストッカ２０と、カードデータ書込手段２１と、カード発行口２２と、カード送出手段２３と、表示手段（入力手段）２４と、通信手段２５と、記憶手段２６と、電源手段２７と、制御手段２８とを有している。
【００３２】
会員カード挿入口１１は、正会員カードが挿入，排出される開口部である。
カードデータ読取手段（読取ヘッド）１２は、正会員カードから所定のカードデータを読み取り、この読み取ったカードデータを制御手段２８へ送る。
カード搬送手段１３は、一又は二以上のローラと、このローラの駆動手段（図示せず）によって構成されており、会員カード挿入口１１に挿入された正会員カードを、カードデータ読取手段１２の直下（又は直上）を通過するように搬送する。これにより、カードデータ読取手段１２は、その直下（又は直上）を通過する正会員カードから所定のカードデータを読み取ることができる。また、カード搬送手段１３は、正会員カードを会員カード挿入口１１へ送って排出する。
【００３３】
原反ロール１４は、バーコード等が印字される前の会員シール（又はこれが貼られた台紙）が連結されてロール状に巻かれたものがセットされている。
バーコードプリンタ１５は、制御手段２８のシール発行制御部２８−４（後述）からシールデータ（バーコードデータ、認証媒体データ）を受け取ると、そのシールデータをバーコードとして会員シールに印字するプリンタである。そのシールデータには、例えば、会員が所属する遊技場を特定するデータや、会員登録に関連するデータなどが含まれる。
コート剤塗布手段１６は、会員シールの表面にコート剤を塗布する手段である。このコート剤を塗布することで、バーコードが汚染から保護される。
【００３４】
シール発行口１７は、会員シールが外部に排出される開口部である。
シール送出手段１８は、一又は二以上のローラと、このローラの駆動手段（図示せず）によって構成されており、原反ロール１４として巻かれた帯状の会員シールを引き出してカッタ（図示せず）で切り離し順次シール発行口１７へ送り出す。
シールデータ読取手段（認証媒体データ読取手段）１９は、会員シールに印字されたバーコードを読み取って、制御手段２８へ送る。
【００３５】
なお、本実施形態において、シールデータ読取手段１９は、バーコードリーダで構成されている。ただし、シールデータ読取手段１９は、バーコードリーダに限るものではなく、例えば、会員シールに内蔵されたＩＣチップから非接触で所定のデータを読み取る非接触式データ読取装置（図示せず）により構成することもできる。非接触式データ読取装置は、電波方式，光通信方式，電磁誘導方式などを用いて無線通信を行うことにより、読取面に接近してきた会員シールから所定のシールデータを読み取る装置である。
また、会員シールに２次元コードが印字される場合、シールデータ読取手段１９として２次元コードリーダを備えることもできる。
【００３６】
カードストッカ２０は、発行前のカード（生カード）の収納部分である。このカードストッカ２０に収められた生カードは、その後、仮会員カードあるいは準会員カードとして発行される。
カードデータ書込手段（書き込みヘッド）２１は、制御手段２８のカード発行制御部２８−７（後述）からカードデータを受け取ると、カードストッカ２０から取り出された生カードにそのカードデータを書き込んで記憶させる。このカードデータ書込手段２１により書き込まれるカードデータには、例えば、会員シールに関するデータ、その遊技場を特定するデータ、会員登録に関連するデータ、発行日を示すデータなどが含まれる。
【００３７】
カード発行口２２は、カードデータ書込手段２１により所定のデータが書き込まれたカード（仮会員カード又は準会員カード）を外部に排出する開口部である。
カード送出手段２３は、一又は二以上のローラと、このローラの駆動手段（図示せず）によって構成されており、カードストッカ２０から取り出され所定のカードデータが書き込まれたカード（仮会員カード又は準会員カード）をカード発行口２２へ送って外部に排出する。なお、このカード送出手段２３を可逆制御して、カード書込・読取手段を設けることで、会員カード挿入口１１とカード発行口２２を共用にして、会員カード挿入口１１を省略することもできる。また、カード発行手段（後述）を別個に設けカードストッカ２０の収納量を大きくすることもできる。
【００３８】
表示手段（入力手段）２４は、会員認証媒体発行装置１０の動作や処理の内容、会員認証媒体発行装置１０を操作する手順、遊技者（会員）に対するメッセージ、認証等のエラーメッセージ、遊技場のＰＲなどを表示する。
具体的には、例えば、「いらっしゃいませ」，「会員シールを読取面に近づけて下さい。」，「会員カードを挿入して下さい。」，「ただいまホストコンピュータと交信中です。しばらくお待ち下さい。」，「準会員カードを発行しています。お取り下さい。」,「データを読み取れませんでした。もう一度、読取面に近づけて下さい。」，「会員カード（会員シール）を認証できませんでした。」などを表示することができる。
【００３９】
また、表示手段（入力手段）２４は、例えばタッチパネルで構成され入力手段として機能させることができる。この場合、表示手段（入力手段）２４には、例えば、複数のキーを表示させることができる。キーには、例えば、数字キー，文字キー，記号キー，命令キーなどを含むことができる。このうち数字キーの操作により、例えば、暗証番号（登録するための暗証番号（登録用暗証番号）や認証のための暗証番号（認証用暗証番号））などを入力することができる。また、命令キーとして、例えば、「暗証番号入力完了」，「仮会員カード発行」，「準会員カード発行」などのキーを設けることもできる。
【００４０】
さらに、表示手段（入力手段）２４は、会員シール発行確認を表示する。会員シール発行確認とは、正会員カードを挿入した会員が会員シールの発行を希望しているかどうかを確認するための表示をいい、例えば、「会員シール発行」ボタンの表示、「会員シールを発行しますか？」等の質問文の表示などが挙げられる。
また、表示手段（入力手段）２４は、仮会員カード発行確認（準会員カード発行確認）を表示する。仮会員カード発行確認（準会員カード発行確認）とは、会員シールを所持する遊技者が仮会員カード（準会員カード）の発行を希望しているかどうかを確認するための表示をいい、例えば、「仮会員カード発行（準会員カード発行）」ボタンの表示、「仮会員カードを発行しますか？（準会員カードを発行しますか？）」等の質問文の表示などが挙げられる。
【００４１】
また、表示手段（入力手段）２４は、暗証番号入力指示を表示する。暗証番号入力指示とは、会員シールの発行を希望する会員に暗証番号の入力を促すための表示をいい、例えば、「暗証番号を入力して下さい」等のメッセージとともに暗証番号入力用のテンキーを表示することなどが挙げられる。さらに、表示手段（入力手段）２４は、登録用暗証番号入力指示や認証用暗証番号入力指示を表示することもできる。
【００４２】
通信手段２５は、他の装置（例えば、会員管理装置３０など）との間で所定のデータを送受信するためのインタフェイスであって、例えば、インタフェイス基板や通信用コネクタなどで構成することができる。
この通信手段２５は、例えば、カードデータ，シールデータ，暗証番号などを会員管理装置３０へ送信する。また、認証結果，会員シールの発行指示，非発行指示，仮（準）会員カードの発行指示，非発行指示などを受信する。
【００４３】
記憶手段２６は、会員認証媒体発行装置１０の有する諸機能を動作させるプログラムやそれら諸機能に関するデータを記憶する。
また、記憶手段２６は、例えば、シールデータ（シールデータ読取手段１７で読み取られたシールデータ、バーコードプリンタ１５でバーコードとして会員シールに印字されるシールデータ、バーコードデータを含む），カードデータ（カードデータ読取手段１２で読み取られたカードデータ、カードデータ書込手段２１でカードに書き込まれるカードデータ），表示手段１７での表示内容に関するデータ，表示手段（入力手段）１７での入力内容に関するデータ，通信手段２５で受信されたデータなどを記憶することができる。
電源手段２７は、外部から受けた電力を会員認証媒体発行装置１０の構成各部に供給する電源装置を含んでいる。
【００４４】
制御手段２８は、会員認証媒体発行装置１０の有する各種機能を動作・制御する。
この制御手段２８は、図４に示すように、カードデータ処理部２８−１と、カード搬送制御部２８−２と、シール発行判定部２８−３と、シール発行制御部２８−４と、シールデータ処理部２８−５と、カード発行判定部２８−６と、カード発行制御部２８−７と、表示（入力）制御部（入力制御部）２８−８と、通信制御部２８−９と、記憶制御部２８−１０とを有している。
【００４５】
カードデータ処理部２８−１は、カードデータ読取手段１２で読み取られたカードデータを記憶手段２６へ送って記憶させる。また、カードデータ処理部２８−１は、そのカードデータを通信制御部２８−９へ送る。これにより、カードデータは、会員管理装置３０へ送信されて、カード認証に用いられる。
カード搬送制御部２８−２は、カード搬送手段１３の動作制御を行う。
【００４６】
シール発行判定部２８−３は、会員管理装置３０から送信されてきた会員シールの発行指示又は非発行指示にもとづいて、会員シールを発行するか否かを判定する。すわなち、会員シールの発行指示が送信されてきたときは、シール発行制御部２８−４に対して会員シールの発行を指示する。一方、会員シールの非発行指示が送信されてきたときは、シール発行制御部２８−４に対して会員シールの発行の指示は行わない。
また、シール発行判定部２８−３は、会員シールの非発行指示が送信されてきたときは、表示（入力）制御部２８−８に対して正会員カードの認証エラーを示すメッセージを表示手段（入力手段）２４に表示させるようにすることもできる。
【００４７】
シール発行制御部２８−４は、シール発行判定部２８−３からの会員シール発行指示にもとづいて、バーコードプリンタ１５，コート剤塗布手段１６，シール送出手段１８を駆動制御し、会員シールを発行させる。このとき、シール発行制御部２８−４は、会員シールに印字されるシールデータ（バーコードデータ）を記憶手段２６から取り出して、バーコードプリンタ１５へ送る。
なお、本実施形態においては、シール発行制御部２８−４，バーコードプリンタ１５，コート剤塗布手段１６，シール送出手段１８が「シール発行手段（会員認証媒体発行手段）」に相当する。
【００４８】
シールデータ処理部２８−５は、シールデータ読取手段１９で読み取られたシールデータを受け取って記憶手段２６へ送り記憶させる。また、シールデータ処理部２８−５は、そのシールデータを通信制御部２８−９へ送る。これにより、シールデータは、会員管理装置３０へ送信されて、会員シールの認証に用いられる。
【００４９】
カード発行判定部２８−６は、会員管理装置３０から送信されてきた仮（準）会員カードの発行指示あるいは非発行指示にもとづいて、仮（準）会員カードを発行するか否かを判定する。すなわち、仮会員カードの発行指示が送信されてきたときは、カード発行制御部２８−７に対して仮会員カードの発行を指示する。また、準会員カードの発行指示が送信されてきたときは、カード発行制御部２８−７に対して準会員カードの発行を指示する。さらに、仮（準）会員カードの非発行指示が送信されてきたときは、カード発行制御部２８−７に対して仮（準）会員カードの発行の指示は行わない。
【００５０】
カード発行制御部２８−７は、カード発行判定部２８−６からの仮（準）会員カードの発行指示にもとづいて、カードデータ書込手段２１及びカード送出手段２３を駆動制御し、仮（準）会員カードを発行させる。このとき、カード発行制御部２８−７は、仮（準）会員カードに記憶させるカードデータを記憶手段２６から取り出して、カードデータ書込手段２１へ送る。
なお、本実施形態においては、カード発行制御部２８−７，カードデータ書込手段２１，カード送出手段２３が「カード発行手段」に相当する。
【００５１】
表示（入力）制御部２８−８は、表示手段（入力手段）２４におけるデータ表示を制御する。例えば、各種キー，エラーメッセージ，会員シール発行確認，仮会員カード発行確認，準会員カード発行確認，暗証番号入力指示などの表示を制御する。
また、表示（入力）制御部２８−８は、表示手段（入力手段）２４で入力されたデータを記憶手段２６へ送って記憶させるとともに、その入力データの指示内容にしたがって、会員認証媒体発行装置１０の構成各部に所定の処理を実行させる。
【００５２】
通信制御部２８−９は、通信手段２５を介して外部の装置（例えば、会員管理装置３０）から送信してきたデータを記憶手段２６へ送って記憶させる。また、通信制御部２８−９は、所定のデータを通信手段２５を介して外部の装置へ送信する。
記憶制御部２８−１０は、記憶手段２６に記憶されているデータを管理、編集、加工等する。
【００５３】
会員管理装置３０は、プログラム制御により動作するコンピュータであって、図５に示すように、通信手段３１と、記憶手段３２と、入力手段３３と、表示手段３４と、認証手段３５と、発行カード種類決定手段３６と、カード期限管理手段３７と、データ管理手段３８と、処理内容管理手段３９と、制御手段４０とを有している。
【００５４】
通信手段３１は、遊技場システム１に備えられた各装置との間で所定のデータを送受信する。
具体的には、例えば、通信手段３１は、会員認証媒体発行装置１０からカードデータ，シールデータ，暗証番号（登録用暗証番号，認証用暗証番号）などを受信する。また、通信手段３１は、会員シールの発行指示や非発行指示、仮（準）会員カードの発行指示や非発行指示などを会員認証媒体発行装置１０へ送信する。
さらに、通信手段３１は、例えば、カードが使用される周辺機器からカードデータや暗証番号などを受信する。また、通信手段３１は、実行許可信号や実行不可信号をカードが使用される周辺機器へ送信する。
【００５５】
記憶手段３２は、会員管理装置３０の有する各種機能に関するデータやプログラムなどを記憶する。
例えば、記憶手段３２は、会員に関するデータ（会員登録データ）を記憶する。この会員登録データには、通常会員用データ，仮会員用データ，準会員用データがある。そして、その記憶手段３２においては、通常会員用データが収められる会員用ファイル、仮会員用データが収められる仮会員用ファイル、準会員用データが収められる準会員用ファイルが作成される。
また、記憶手段３２は、自己の遊技場を特定するデータや、会員シールに関連するデータを記憶する。
【００５６】
入力手段３３は、複数のボタンやキーなどで構成されており、会員管理装置３０の有する各種機能の実行に関する命令等を入力する。
表示手段３４は、会員登録データなど所定のデータを表示することができる。
【００５７】
認証手段３５は、会員認証媒体発行装置１０から送信されてきた正会員カードのカードデータと暗証番号とを用いて、その正会員カードの認証を行う。ここで、そのカードデータ及び暗証番号と一致するデータがそれぞれ記憶手段３２に記憶・登録されているときは、正会員カードは正規のものであると判定される。一方、そのカードデータ及び暗証番号と一致するデータが記憶手段３２に記憶・登録されていないときは、正会員カードは正規のものではない（偽物である）と判定される。
【００５８】
また、認証手段３５は、会員認証媒体発行装置１０から送信されてきたシールデータを用いて会員シールの認証を行う。ここで、そのシールデータに自己又は他の遊技場を特定するデータが含まれ、及びセキュリティマークが確認されたときは、そのシールデータが記憶されていた会員シールは正規のものであると判定される。一方、そのデータが含まれていないときは、その会員シールは正規のものではない（偽物である）と判定される。
【００５９】
さらに、認証手段３５は、カードが使用される周辺機器から送信されてきたカードデータと暗証番号とを用いて正会員カード、仮会員カード、準会員カードの認証を行う。ここで、そのカードデータ及び暗証番号と一致するデータがそれぞれ記憶手段３２に記憶・登録されているときは、そのカードデータが記憶されていた正会員カード等は正規のものであると判定される。一方、そのカードデータ及び暗証番号と一致するデータが記憶手段３２に記憶・登録されていないときは、そのカードデータが記憶されていた正会員カード等は正規のものではない（偽物である）と判定される。
【００６０】
発行カード種類決定手段３６は、会員シールのシールデータを用いて、仮会員カードと準会員カードとのいずれを会員認証媒体発行装置１０に発行させるかを決定する。この決定処理は、認証手段３５で会員シールが正規のものであると認証されたときに行うことができる。
具体的には、例えば、会員シールが自己の店舗（自店）に設置された会員認証媒体発行装置１０で発行されたものであることをシールデータが示すときは、会員認証媒体発行装置１０に仮会員カードを発行させることを決定する。一方、会員シールが他の店舗（他店）に設置された会員認証媒体発行装置１０で発行されたものであることをシールデータが示すときは、会員認証媒体発行装置１０に準会員カードを発行させることを決定する。
【００６１】
カード期限管理手段３７は、カードが使用される周辺機器からのカードデータを用いて仮（準）会員カードが有効期間内の使用であるか否かを判定し、さらに、その判定の結果にもとづいてカードが使用される周辺機器での所定の処理の実行可能／実行不可を決定する。この決定内容は、実行許可信号（有効の場合）や実行不可信号（無効の場合）として、通信手段３１を介してカードが使用される周辺機器へ送られる。
なお、仮（準）会員カードの有効期間は、例えば、仮（準）会員カードの発行日当日とすることができる。また、その発行日を含む数日以内、次回来店時まで、などとすることもできる。
【００６２】
また、カード期限管理手段３７は、仮（準）会員カードが回収期間内に回収されなかったときは、カードが使用される周辺機器でその仮（準）会員カードを使用して実行された所定の処理に関するデータの一部又は全部を無効とすることを決定する。仮（準）会員カードの回収は、カード台間機７０（カード課金残高が０になったとき）や、精算機５４（精算をしてカード課金残高が０になったとき）で行うことができる。
仮（準）会員カードが回収期間内に回収されたか否かの判断は、例えば、会員管理装置がカード回収信号を受信した日時が、仮（準）会員カードの発行日を起算点とする回収期間内か否かを判定することにより行うことができる。この場合、カード回収信号の受信日時が回収期間内であるときは、所定の処理に関するデータを有効とする。一方、カード回収信号の受信日時が回収期間を超過しているときは、所定の処理に関するデータの一部又は全部を無効とする。
ここで、所定の処理には、例えば、景品交換処理、預け入れ玉処理、預け入れ玉引き落とし処理、残金処理（精算若しくは預金処理）、サービスポイントの加算、又は個人別遊技データの記憶のうちの一又は二以上を含めることができる。
【００６３】
仮（準）会員カードの有効期間と回収期間とは同じ日数にすることもでき、また異なる日数にすることもできる。
例えば、仮（準）会員カードの有効期間と回収期間との双方をいずれも仮（準）会員カードの発行日当日としたときは、その発行日当日に回収されなければ、カードが使用される周辺機器でその仮（準）会員カードを使用して実行された所定の処理に関するデータの一部又は全部は無効となる。
一方、仮（準）会員カードの有効期間と回収期間とが異なる日数のときは、カードの有効期間が経過しても回収期間が経過するまでは、カードが使用される周辺機器でその仮（準）会員カードを使用して実行された所定の処理に関するデータは有効となる。具体的には、例えば、仮（準）会員カードの有効期間が発行日当日限りであり、回収期間が発行日翌日までの場合、その発行日翌日までに仮（準）会員カードが回収されれば、カードが使用される周辺機器でその仮（準）会員カードを使用して実行された所定の処理に関するデータは有効となる（仮（準）会員カードのお助け処理）。
【００６４】
データ管理手段３８は、発行カード種類決定手段３６で準会員カードの発行が決定されると、その準会員カードに関するデータと暗証番号との双方が収められる準会員用ファイルを記憶手段３２に作成する。これにより、その後、準会員カードを用いた遊技等については、カードデータと暗証番号との双方により認証を行うことができる。また、そのファイルに、カードに対応させて遊技関連データを記憶する。
また、データ管理手段３８は、仮会員カードの使用により遊技等所定の処理が実行されたときは、正会員カードとリンクされて正会員用ファイルに遊技関連データなどを記憶する。
処理内容管理手段３９は、カードが使用される周辺機器で準会員カードを用いて実行される所定の処理のうち、獲得遊技媒体の預け入れあるいは預け入れた獲得遊技媒体の引き落としを禁止する処理を行うことができる。
【００６５】
制御手段４０は、会員管理装置３０の有する各種機能についての動作・制御を実行する。
また、制御手段４０は、認証手段３５から「（会員認証媒体発行装置１０に挿入された）正会員カードは正規のものである」との認証結果を受けたときは、会員シールの発行指示を通信手段３１を介して会員認証媒体発行装置１０へ送信する。一方、「（会員認証媒体発行装置１０に挿入された）正会員カードは正規のものではない」との認証結果を受けたときは、会員シールの非発行指示を、通信手段３１を介して会員認証媒体発行装置１０へ送信する。
【００６６】
さらに、制御手段４０は、認証手段３５から「（会員認証媒体発行装置１０でシールデータが読み取られた）会員シールは正規のものである」との認証結果を受けたときは、発行カード種類決定手段３６での決定内容にもとづいて、仮会員カードの発行指示又は準会員カードの発行指示を、通信手段３１を介して会員認証媒体発行装置１０へ送信する。
一方、制御手段４０は、認証手段３５から「（会員認証媒体発行装置１０でシールデータが読み取られた）会員シールは正規のものではない」との認証結果を受けたときは、仮（準）会員カードの非発行指示を、通信手段３１を介して会員認証媒体発行装置１０へ送信する。
【００６７】
また、制御手段４０は、認証手段３５から「（カードが使用される周辺機器に挿入された）正会員カード（あるいは仮（準）会員カード）は正規のものである」との認証結果を受けたときは、カード期限管理手段３７での決定内容にもとづいて、実行許可信号又は実行不可信号を、通信手段３１を介して、カードが使用される周辺機器へ送信する。
一方、認証手段３５から「（カードが使用される周辺機器に挿入された）正会員カード（あるいは仮（準）会員カード）は正規のものではない」との認証結果を受けたときは、実行不可信号を、通信手段３１を介して、カードが使用される周辺機器へ送信する。
【００６８】
さらに、制御手段４０は、会員認証媒体発行装置１０で仮（準）会員カードあるいは会員シールを発行させるときは、それら仮（準）会員カードあるいは会員シールに記憶させるデータ（仮（準）会員カード記憶データあるいは会員シール記憶データ）を作成する。この作成された仮（準）会員カード記憶データあるいは会員シール記憶データは、記憶手段３２へ送られて記憶されるとともに、会員認証媒体発行装置１０へ送信されて、仮（準）会員カードあるいは会員シールに記憶される。
【００６９】
なお、カードが使用される周辺機器には、例えば、図１に示すように、景品ＰＯＳ（貯玉）５１、遊技情報端末装置５２、遊技媒体計数機５３、カード精算回収装置５４、遊技台６０、台間機７０などが含まれる。
通信回線９０は、従来公知の任意好適な通信回線を用いることができる。
【００７０】
［会員認証媒体（会員シール）、仮会員カード、準会員カード］
次に、会員認証媒体（会員シール），仮会員カード，準会員カードについて、説明する。
＜会員認証媒体（会員シール）＞
会員認証媒体とは、会員の認証に用いられるデータ（認証媒体データ）を記憶可能な媒体をいう。この会員認証媒体には、例えば、会員シールが含まれる。
会員シールは、図６に示すように、例えば矩形や円形等の任意の形状に形成された紙片やプラスチック片等であって、裏面には粘着剤が塗布されており、表面にはシールデータを示すバーコード（記憶部）が印字される。裏面に粘着剤が塗布されているため、例えば携帯電話機など、遊技者が常時所持する物（その他、キャッシュカードなど）に貼付可能である。
【００７１】
バーコードは、所定のシールデータ（認証媒体データ）を示すものである。このシールデータには、例えば、遊技者が会員登録をしている遊技場を特定するデータ、会員ＩＤに関連するデータなどを含むことができる。また、バーコードには、セキュリティのため、蛍光等の特殊インクを使用してもよい。なお、バーコードに代えて、２次元コードを用いることもできる。
【００７２】
また、会員シールには、磁気又は蛍光インクでみだりに複製ができないようにセキュリティマーク（セキュリティ印刷）を付すことができる。
さらに、会員シールは、会員認証媒体発行装置１０から発行されるときには、台紙に貼られた状態で発行することができる。
なお、会員シールや台紙の大きさ，形状は、任意好適な大きさ，形状とすることができる。
また、会員シールの発行枚数は、会員一人あたり一枚のみとすることができる。また、事情により再発行することもできる。
【００７３】
＜仮会員カード、準会員カード＞
会員認証媒体発行装置で発行される、仮会員カード及び準会員カードは、その遊技場で使用されている会員カードと同等のもので、発行に際して、そのカードを特定する所定のデータが記憶されているもので、そのカードが使用される周辺機器で読み取った記憶データと、会員管理装置に記憶している会員シールに対応した暗証番号とで認証される。
これら仮会員カードや準会員カードにデータを記憶させる方法としては、例えば、磁気記憶、バーコード（２次元を含む）、ＩＣなどがある。
【００７４】
［会員管理方法］
次に、本実施形態の遊技場システムの動作手順について説明する。
【００７５】
＜動作手順１＞
まず、遊技者ａが会員登録をしている遊技場Ａで会員シールの発行を受け、後日その遊技場Ａで仮会員カードの発行を受ける場合の遊技場システムの動作について、図７ａ、図７ｂを参照して説明する。
【００７６】
遊技者ａが会員登録をしている遊技場Ａには、会員認証媒体発行装置１０が設置されている。
遊技者ａにより正会員カードが会員認証媒体発行装置１０の会員カード挿入口１１に挿入される。これにより、会員認証媒体発行装置１０は、その正会員カードを受け入れる（ステップ１００）。
会員カード挿入口１１に挿入された正会員カードが、カード搬送手段１３によりカードデータ読取手段１２の直下へ搬送されると、そのカードデータ読取手段１２により正会員カードからカードデータが読み取られる（カードデータ読取処理、ステップ１０１）。この読み取られたカードデータが、制御手段２８のカードデータ処理部２８−１へ送られ、さらに記憶手段２６へ送られて記憶される。
【００７７】
次いで、制御手段２８の表示（入力）制御部２８−８での制御により、会員シール発行確認が表示手段（入力手段）２４に表示される（ステップ１０２）。この会員シール発行確認の表示に対して、遊技者ａにより表示手段（入力手段）２４で会員シールの発行のための入力操作が行われると、この操作内容が表示（入力）制御部２８−８で受け取られる（会員シール発行操作の入力、ステップ１０３）。
【００７８】
続いて、表示（入力）制御部２８−８の制御により、暗証番号入力指示が表示手段（入力手段）２４に表示される（ステップ１０４）。
この暗証番号入力指示に対して、遊技者ａにより表示手段（入力手段）２４で暗証番号が入力されると、この入力された暗証番号が表示（入力）制御部２８−８で受け取られる（暗証番号の入力、ステップ１０５）。この入力された暗証番号は、表示（入力）制御部２８−８から記憶手段２６へ送られて記憶される。
【００７９】
通信制御部２８−９において、記憶手段２６からカードデータ及び暗証番号が取り出され、通信手段２５を介して会員管理装置３０へ送信される（ステップ１０６）。
会員管理装置３０の通信手段３１において、会員認証媒体発行装置１０から送信されてきたカードデータ及び暗証番号が受信される（ステップ１０７）。この受信されたカードデータ及び暗証番号が記憶手段３４へ送られて記憶される。
【００８０】
次いで、認証手段３５において、それらカードデータ及び暗証番号の認証が行われる（認証処理、ステップ１０８）。
認証の結果、正会員カードが正規のものであるとされたときは、制御手段４０で会員シール記憶データが作成され（ステップ１０９）、この会員シール記憶データを含む会員シール発行指示が、通信手段３１を介して会員認証媒体発行装置１０へ送信される（ステップ１１０）。
【００８１】
会員認証媒体発行装置１０の通信手段２５において、会員管理装置３０から送信されてきた会員シール発行指示が受信される（ステップ１１１）。この受信された会員シール発行指示に含まれる会員シール記憶データ等が記憶手段２６へ送られて記憶される。
そして、シール発行判定部２８−３において、その会員シール発行指示にもとづき会員シールを発行するとの判定がなされる。この判定により、シール発行制御部２８−４において、シール送出手段１８，バーコードプリンタ１５，コート剤塗布手段１６が駆動制御されて、会員シール記憶データがバーコードとして会員シールに印字されて、その会員シールが発行される（ステップ１１２）。
【００８２】
一方、会員管理装置３０の認証手段３５での認証の結果、正会員カードが正規のものではないとされたときは、会員シール非発行指示が会員管理装置３０の通信手段３１を介して会員認証媒体発行装置１０へ送信される（ステップ１１３）。
会員認証媒体発行装置１０の通信手段２５において、会員シール非発行指示が受信されると（ステップ１１４）、シール発行判定部２８−３において、その会員シール非発行指示にもとづいて会員シールを発行しないとの判定がなされる。そして、表示（入力）制御部２８−８に対してエラーメッセージの表示が指示され、表示（入力）制御部２８−８での制御により、表示手段（入力手段）２４でエラーメッセージが表示される（ステップ１１５）。
【００８３】
会員シールの発行を受けた遊技者ａが、後日、正会員カードを所持しないで遊技場Ａに来たときは、会員シールを用いて仮会員カードの発行を受けることができる。
遊技者ａにより、会員シールが貼付された物（例えば、遊技者ａが所持する携帯電話機など）が会員認証媒体発行装置１０のシールデータ読取手段１９に近づけられる（かざされる）。これにより、シールデータ読取手段１９において、その会員シールからシールデータが読み取られる（シールデータ読取処理、ステップ１１６）。この読み取られたシールデータが、制御手段２８のシールデータ処理部２８−５へ送られ、さらに記憶手段２６へ送られて記憶される。
【００８４】
次いで、制御手段２８の表示（入力）制御部２８−８での制御により、仮会員カード発行確認が表示手段（入力手段）２４に表示される（ステップ１１７）。この仮会員カード発行確認の表示に対して、遊技者ａにより表示手段（入力手段）２４で仮会員カードの発行のための入力操作が行われると、この操作内容が表示（入力）制御部２８−８で受け取られる（仮会員カード発行操作の入力、ステップ１１８）。
【００８５】
続いて、表示（入力）制御部２８−８の制御により、暗証番号入力指示が表示手段（入力手段）２４に表示される（ステップ１１９）。
この暗証番号入力指示に対して、遊技者ａにより表示手段（入力手段）２４で暗証番号が入力されると、この入力された暗証番号が表示（入力）制御部２８−８で受け取られる（暗証番号の入力、ステップ１２０）。この入力された暗証番号は、表示（入力）制御部２８−８から記憶手段２６へ送られて記憶される。
【００８６】
通信制御部２８−９において、記憶手段２６からシールデータ及び暗証番号が取り出され、通信手段２５を介して会員管理装置３０へ送信される（ステップ１２１）。
会員管理装置３０の通信手段３１において、会員認証媒体発行装置１０から送信されてきたシールデータ及び暗証番号が受信される（ステップ１２２）。この受信されたシールデータ及び暗証番号が記憶手段３４へ送られて記憶される。
【００８７】
次いで、認証手段３５において、それらシールデータ及び暗証番号の認証が行われる（認証処理、ステップ１２３）。
認証の結果、会員シールが正規のものとされたときは、制御手段４０で仮会員カード記憶データが作成され（ステップ１２４）、この仮会員カード記憶データを含む仮会員カード発行指示が、通信手段３１を介して会員認証媒体発行装置１０へ送信される（ステップ１２５）。
【００８８】
会員認証媒体発行装置１０の通信手段２５において、会員管理装置３０から送信されてきた仮会員カード発行指示が受信される（ステップ１２６）。この受信された仮会員カード発行指示に含まれる仮会員カード記憶データが記憶手段２６へ送られて記憶される。
そして、カード発行判定部２８−６において、その仮会員カード発行指示にもとづき仮会員カードを発行するとの判定がなされる。この判定によりカード発行制御部２８−７において、カード送出手段２３及びカードデータ書込手段２１が駆動制御されて、仮会員カード記憶データが仮会員カードに記憶され、その仮会員カードが発行される（ステップ１２７）。
【００８９】
一方、会員管理装置３０の認証手段３５での認証の結果、会員シールが正規のものではないとされたときは、仮会員カード非発行指示が会員管理装置３０の通信手段３１を介して会員認証媒体発行装置１０へ送信される（ステップ１２８）。
会員認証媒体発行装置１０の通信手段２５において、仮会員カード非発行指示が受信されると（ステップ１２９）、カード発行判定部２８−６において、その仮会員カード非発行指示にもとづいて仮会員カードを発行しないとの判定がなされる。そして、表示（入力）制御部２８−８に対してエラーメッセージの表示が指示され、表示（入力）制御部２８−８での制御により、表示手段（入力手段）２４でエラーメッセージが表示される（ステップ１３０）。
【００９０】
以上説明した手順を実行することにより、遊技場システムは、正会員カードを認証すると会員シールを発行し、会員シールを認証して、この会員シールが自店で発行されたものであると仮会員カードを発行することができる。
これにより、会員は、正会員カードを忘れてきた場合でも、仮会員カードの発行を受けて、正会員カードと同等の遊技を行い、同等のサービスを享受することができる。
【００９１】
＜動作手順２＞
次に、遊技者ａが、会員登録をしていない遊技場Ｂで、遊技場Ａ発行の会員シールを用いて初めて準会員カードの発行を受ける場合の遊技場システムの動作について、図８ａ及び図８ｂを参照して説明する。
【００９２】
遊技者ａは、遊技場Ａに設置された会員認証媒体発行装置１０ａから会員シールの発行を受けている。また、遊技場Ｂには、会員認証媒体発行装置１０ｂが設置されている。
遊技者ａにより、会員シールが貼付された携帯電話機などの遊技者ａの所持物が、会員認証媒体発行装置１０ｂのシールデータ読取手段１９にかざされる。これにより、シールデータ読取手段１９において、その会員シールからシールデータが読み取られる（シールデータ読取処理、ステップ２００）。この読み取られたシールデータが、制御手段２８のシールデータ処理部２８−５へ送られ、さらに記憶手段２６へ送られて記憶される。
【００９３】
また、会員シールから読み取られたシールデータが、制御手段２８の通信制御部２８−９から通信手段２５を介して会員管理装置３０へ送信される（ステップ２０１）。
会員管理装置３０の通信手段３１で、会員認証媒体発行装置１０から送信されてきたシールデータが受信される（ステップ２０２）。この受信されたシールデータは、記憶手段３２へ送られて記憶される。
【００９４】
認証手段３５にて、シールデータを用いた会員シールの認証が行われる（ステップ２０３）。ここで、会員シールが正規のものであると認証されたときは、発行カード種類決定手段３６で、会員認証媒体発行装置１０ｂに発行させるカードを仮会員カードと準会員カードのいずれにするかが決定される（発行カード種類決定処理、ステップ２０４）。本説明において、会員シールは遊技場Ａで発行されているため、シールデータには遊技場Ｂではなく遊技場Ａ（他店）を特定するデータが含まれている。このため、準会員カードの発行が決定される。
続いて、処理内容管理手段４０で、その会員シールを用いた準会員カードの発行が初めて行われるものであるか否かが判定される（初回発行判定処理、ステップ２０５）。判定の結果、本説明においては、初めて行われるものであると判定される。
【００９５】
そして、発行カード種類決定手段３６で準会員カードの発行が決定されたことにもとづき、制御手段４０から通信手段３１を介して会員認証媒体発行装置１０ｂへ、準会員カード発行操作要求が送信される（ステップ２０６）。
会員認証媒体発行装置１０ｂの通信手段２５で、会員管理装置３０から送信されてきた準会員カード発行操作要求が受信される（ステップ２０７）。
【００９６】
次いで、制御手段２８の表示（入力）制御部２８−８での制御により、準会員カード発行確認が表示手段（入力手段）２４に表示される（ステップ２０８）。
この準会員カード発行確認の表示に対して、遊技者ａにより表示手段（入力手段）２４で準会員カードの発行のための入力操作が行われると、この操作内容が表示（入力）制御部２８−８で受け取られる（準会員カード発行操作の入力、ステップ２０９）。
【００９７】
また、処理内容管理手段４０で準会員カードの発行が初めて行われるものであると判定されたことにもとづき、制御手段４０から通信手段３１を介して会員認証媒体発行装置１０ｂへ、登録用暗証番号送信要求が送信される（ステップ２１０）。
なお、図８ａにおいては、登録用暗証番号要求の送信が準会員カード発行操作の入力（ステップ２０９）の後になっているが、準会員カード発行操作の入力（ステップ２０９）の後に限るものではなく、例えば、準会員カード発行操作要求の送信（ステップ２０６）と同時あるいはその後に行うこととしてもよい。
会員認証媒体発行装置１０ｂの通信手段２５で、会員管理装置３０から送信されてきた登録用暗証番号要求が受信される（ステップ２１１）。
【００９８】
続いて、表示（入力）制御部２８−８の制御により、登録用暗証番号入力指示が表示手段（入力手段）２４に表示される（ステップ２１２）。
この登録用暗証番号入力指示に対して、遊技者ａにより表示手段（入力手段）２４で登録用暗証番号が入力されると、この入力された登録用暗証番号が表示（入力）制御部２８−８で受け取られる（登録用暗証番号の入力、ステップ２１３）。この入力された登録用暗証番号は、表示（入力）制御部２８−８から記憶手段２６へ送られて記憶される。
【００９９】
さらに、通信制御部２８−９において、記憶手段２６から登録用暗証番号が取り出され、通信手段２５を介して会員管理装置３０へ送信される（ステップ２１４）。
会員管理装置３０の通信手段３１において、会員認証媒体発行装置１０から送信されてきた登録用暗証番号が受信される（ステップ２１５）。この受信された登録用暗証番号が記憶手段３４へ送られて記憶される。
【０１００】
制御手段４０において、準会員用ファイルが作成され、準会員用データが収められるとともにシールデータと登録用暗証番号が登録され、記憶手段３４へ送られて記憶される（ステップ２１６）。
さらに、制御手段４０にて、準会員カード記憶データが作成され（ステップ２１７）、この準会員カード記憶データを含む準会員カード発行指示が、通信手段３１を介して会員認証媒体発行装置１０へ送信される（ステップ２１８）。
【０１０１】
会員認証媒体発行装置１０の通信手段２５において、会員管理装置３０から送信されてきた準会員カード発行指示が受信される（ステップ２１９）。この受信された準会員カード発行指示に含まれる準会員カード記憶データが記憶手段２６へ送られて記憶される。
そして、カード発行判定部２８−６において、その準会員カード発行指示にもとづき準会員カードを発行するとの判定がなされる。この判定によりカード発行制御部２８−７において、カード送出手段２３及びカードデータ書込手段２１が駆動制御されて、準会員カード記憶データが準会員カードに記憶され、その準会員カードが発行される（ステップ２２０）。
【０１０２】
一方、会員管理装置３０の認証手段３５でのシールデータ認証処理（ステップ２０３）の結果、会員シールが正規のものではないとされたときは、準会員カード非発行指示が会員管理装置３０の通信手段３１を介して会員認証媒体発行装置１０へ送信される（ステップ２２１）。
会員認証媒体発行装置１０の通信手段２５において、準会員カード非発行指示が受信されると（ステップ２２２）、カード発行判定部２８−６において、その準会員カード非発行指示にもとづいて準会員カードを発行しないとの判定がなされる。そして、表示（入力）制御部２８−８に対してエラーメッセージの表示が指示され、表示（入力）制御部２８−８での制御により、表示手段（入力手段）２４でエラーメッセージが表示される（ステップ２２３）。
【０１０３】
以上説明した手順を実行することにより、遊技場システムは、他店で発行された会員シールを認証すると準会員カードを発行することができる。
これにより、遊技場側は、本実施形態の遊技場システムを導入することにより、他店で会員登録した遊技者を自店に引き入れて、会員登録の促進を図ることができる。
【０１０４】
なお、以上説明した手順において遊技場Ｂの準会員カードが発行されると、遊技場Ａの会員シールのＩＤとともに、遊技場Ｂの準会員として準会員ファイルに登録され、当日限り遊技場Ｂの正会員カードと同等の遊技やサービスを受けることができる。ただし、カードが使用される周辺機器における所定の処理（景品交換処理、預け入れ玉処理、預け入れ玉引き落とし処理、又は残金処理（精算あるいは預金処理）については、準会員カードが回収されなければ、未処理のものを無効とすることができる。また、預け入れ玉に関する処理は禁止される場合がある。ただし、会員登録を促し集客度を高めるため、データ公開機５３でのデータの閲覧は、通常会員であってもまた仮会員あるいは準会員であっても行えるようにすることが望ましい。
【０１０５】
＜動作手順３＞
次に、遊技者ａが、会員登録をしていない遊技場Ｂで、遊技場Ａ発行の会員シールを用いて準会員カードの発行を受けるのが二回目以降である場合の遊技場システムの動作について、図９ａ及び図９ｂを参照して説明する。
【０１０６】
図９ａに示す「シールデータ読取・記憶処理（ステップ３００）」から「発行カード種類決定処理（ステップ３０４）」までの処理は、図８ａに示す「シールデータ読取・記憶処理（ステップ２００）」から「発行カード種類決定処理（ステップ２０４）」までの処理と同一の処理内容であるため、それらの説明を省略する。
【０１０７】
発行カード種類決定手段３６で発行カード種類決定処理（ステップ３０４）が実行された後、処理内容管理手段４０で、その会員シールを用いた準会員カードの発行が初めて行われるものであるか否かが判定される（ステップ３０５）。判定の結果、本説明においては、二回目以降であると判定される。
そして、準会員カード発行操作要求の送信処理（ステップ３０６）、準会員カード発行操作要求の受信処理（ステップ３０７）、準会員カード発行確認の表示処理（ステップ３０８）、準会員カード発行操作の入力処理（ステップ３０９）がそれぞれ実行される。なお、これら処理は、図８ａに示す準会員カード発行操作要求の送信処理（ステップ２０６）、準会員カード発行操作要求の受信処理（ステップ２０７）、準会員カード発行確認の表示処理（ステップ２０８）、準会員カード発行操作の入力処理（ステップ２０９）と同様の処理内容である。
【０１０８】
また、処理内容管理手段４０で準会員カードの発行が二回目以降であると判定されたことにもとづき、制御手段４０から通信手段３１を介して会員認証媒体発行装置１０ｂへ、認証用暗証番号送信要求が送信される（ステップ３１０）。
なお、図９ａにおいては、認証用暗証番号要求の送信が準会員カード発行操作の入力（ステップ３０９）の後になっているが、準会員カード発行操作の入力（ステップ３０９）の後に限るものではなく、例えば、準会員カード発行操作要求の送信（ステップ３０６）と同時あるいはその後に行うこととしてもよい。
会員認証媒体発行装置１０ｂの通信手段２５で、会員管理装置３０から送信されてきた認証用暗証番号要求が受信される（ステップ３１１）。
【０１０９】
続いて、表示（入力）制御部２８−８の制御により、認証用暗証番号入力指示が表示手段（入力手段）２４に表示される（ステップ３１２）。
この認証用暗証番号入力指示に対して、遊技者ａにより表示手段（入力手段）２４で認証用暗証番号が入力されると、この入力された認証用暗証番号が表示（入力）制御部２８−８で受け取られる（認証用暗証番号の入力、ステップ３１３）。この入力された認証用暗証番号は、表示（入力）制御部２８−８から記憶手段２６へ送られて記憶される。
【０１１０】
さらに、通信制御部２８−９において、記憶手段２６から認証用暗証番号が取り出され、通信手段２５を介して会員管理装置３０へ送信される（ステップ３１４）。
会員管理装置３０の通信手段３１において、会員認証媒体発行装置１０から送信されてきた認証用暗証番号が受信される（ステップ３１５）。この受信された認証用暗証番号が記憶手段３４へ送られて記憶される。
【０１１１】
認証手段３５において、認証用暗証番号を用いて会員シールが認証される（ステップ３１６）。この認証は、認証用暗証番号と、図８ａのステップ２１６で登録された暗証番号（準会員カードの初回発行時に登録された暗証番号）とを照合することにより行われる。その結果、認証用暗証番号にもとづき会員シールが正規のものであると認証されると、制御手段４０にて、準会員カード記憶データが作成され（ステップ３１７）、この準会員カード記憶データを含む準会員カード発行指示が、通信手段３１を介して会員認証媒体発行装置１０へ送信され（ステップ３１８）、会員認証媒体発行装置１０の通信手段２５で受信され（ステップ３１９）、その準会員カード発行指示に含まれる準会員カード記憶データが記憶手段２６へ送られて記憶され、カード発行判定部２８−６で準会員カードを発行するとの判定がなされ、カード発行制御部２８−７でカード送出手段２３及びカードデータ書込手段２１が駆動制御されて、準会員カード記憶データが準会員カードに記憶され、その準会員カードが発行される（ステップ３２０）。
【０１１２】
一方、会員管理装置３０の認証手段３５での暗証番号認証処理（ステップ３１６）の結果、会員シールが正規のものではないとされたときは、準会員カード非発行指示が会員管理装置３０の通信手段３１を介して会員認証媒体発行装置１０へ送信され（ステップ３２１）、会員認証媒体発行装置１０の通信手段２５で受信され（ステップ３２２）、カード発行判定部２８−６で準会員カードを発行しないとの判定がなされ、表示（入力）制御部２８−８に対してエラーメッセージの表示が指示され、表示（入力）制御部２８−８での制御により、表示手段（入力手段）２４でエラーメッセージが表示される（ステップ３２３）。
【０１１３】
以上説明した手順を実行することにより、他店で発行された会員シールを認証して準会員カードを発行する場合であって、その準会員カードの発行が一の会員シールについて二回目以降であるときは、その会員シールのシールデータと暗証番号との両方によって認証を行うことができる。
さらに、遊技場側にとっては、本実施形態の遊技場システムを導入することにより、他店で会員登録した遊技者に対して準会員カードを発行し、正会員カードと同等の遊技及びサービスを提供できるため、会員登録の促進を図ることができる。
【０１１４】
＜動作手順４＞
次に、遊技者ａが、会員登録をしている遊技場Ｃで、遊技場Ａ発行の会員シールを用いて準会員カード（あるいは仮会員カード）の発行を受ける場合の遊技場システムの動作について説明する。
【０１１５】
上記の場合における本実施形態に遊技場システムの動作は、図８ａ，図８ｂ，図９ａ，図９ｂに示した動作手順と同様である。
すなわち、遊技者ａが遊技場Ｃで、遊技場Ａ発行の会員シールを用いて初めて準会員カードの発行を受ける場合には、図８ａ及び図８ｂに示す動作が実行され、遊技者ａが遊技場Ｃで遊技場Ａ発行の会員シールを用いて準会員カードの発行を受けるのが二回目以降である場合には、図９ａ及び図９ｂに示す動作が実行される。
【０１１６】
ただし、本動作手順４において、遊技者ａは、遊技場Ｃの登録会員であるものの準会員カードの発行を受けている。すなわち、遊技場Ａ発行の会員シールを所持する遊技者ａが遊技場Ｃの会員であるものと認証されるまでは、遊技場Ｃにおいては準会員扱いとなる。
ただし、遊技者ａが遊技場Ｃの正会員カードを所持している場合に、その正会員カードを用いて遊技場Ｃの登録会員であると認証されたときは、遊技場Ｃの仮会員カードが発行される。
【０１１７】
このように遊技者ａが遊技場Ｃの会員と認証されて、遊技場Ｃの仮会員カードが発行された場合、遊技者ａは、遊技場Ｃの正会員カードと同等の遊技を行うことができ、同等のサービスを受けることができる。
そして、遊技場Ｃの仮会員カードは、遊技場Ｃの会員カードとリンクされ、遊技者ａの遊技データは遊技場Ｃの会員ファイルに記憶される。すなわち、遊技者ａが遊技場Ｃの準会員から正会員と認証され、仮会員カードが発行された時点で、それまでの準会員ファイルのデータは正会員ファイルに加算されて更新される。
【０１１８】
＜仮会員カード又は準会員カードの有効期間の管理処理＞
次に、仮会員カード又は準会員カードの有効期間の管理処理について、図１０を参照して説明する。
なお、カードが使用される周辺機器は、カードが挿入されるカード挿入口、カードから所定のデータを読み取るデータ読取手段、暗証番号等が入力される入力手段、会員管理装置３０等との間で所定のデータの送受信を行う通信手段などを備えている（カード挿入口，データ読取手段，入力手段，通信手段などは、図示せず）。
【０１１９】
同図に示すように、カードが使用される周辺機器のカード挿入口に仮（準）会員カードが挿入されると、データ読取手段で、その仮（準）会員カードからカードデータが読み取られ（ステップ４００）、さらに、入力手段で暗証番号が入力される（ステップ４０１）。これらカードデータ及び暗証番号が、通信手段を介して会員管理装置３０へ送信される（ステップ４０２）。
【０１２０】
会員管理装置３０の通信手段３１でカードデータ及び暗証番号が受信され（ステップ４０３）、認証手段３５で、それらカードデータ及び暗証番号にもとづきカード認証が行われる（ステップ４０４）。
認証の結果、正規の仮（準）会員カードでないと判断されたときは、カードが使用される周辺機器へカード排出信号が送信される。これにより、カードが使用される周辺機器において、挿入されていた仮（準）会員カードが排出される（カード搬送手段によりカード挿入口へ仮（準）会員カードが搬送され排出される）。
一方、正規の仮（準）会員カードであると判断されたときは、続いて、制御手段４０でそのカードデータにもとづいて仮（準）会員カードの使用が有効期間内か否かが判定される（ステップ４０５）。
【０１２１】
判定の結果、仮（準）会員カードの使用が有効期間内であるときは、通信手段３１を介して、カードが使用される周辺機器へ実行許可信号が送信される（ステップ４０６）。そして、カードが使用される周辺機器の通信手段で実行許可信号が受信されると（ステップ４０７）、仮（準）会員カードを使用した所定の処理が実行される（ステップ４０８）。
一方、仮（準）会員カードの使用が有効期間内でないときは、通信手段３１を介して、カードが使用される周辺機器へ実行不可信号が送信される（ステップ４０９）。そして、カードが使用される周辺機器の通信手段で実行不可信号が受信されると（ステップ４１０）、仮（準）会員カードを使用した所定の処理は実行されない（ステップ４１１）。
【０１２２】
以上説明した手順を実行することにより、仮会員カードや準会員カードは、有効期間内（例えば、発行日当日）に限り、正会員カードと同等の遊技を行うことができ、サービスを受けることができる。ただし、カードが使用される周辺機器における所定の処理（例えば、景品交換処理、預け入れ玉処理、預け入れ玉引き落とし処理又は残金処理（精算あるいは預金処理）など）が行われた後、所定期間内に仮会員カードが回収されなかったときは、未処理のものについては無効とすることができる。しかし、遊技場Ａが仮会員カードのお助け処理（翌日に限り精算可能）が行われている場合は、翌日お助け処理を許容してもよい。
【０１２３】
＜仮（準）会員カードの回収にもとづく所定の処理に関するデータの有効／無効の判定処理＞
次に、仮（準）会員カードの回収にもとづく所定の処理に関するデータの有効／無効の判定処理について、図１１を参照して説明する。
遊技者によりカード台間機７０もしくは精算機５４で、カード挿入口に仮（準）会員カードが挿入されて回収されると（ステップ５００）、データ読取手段で、その仮（準）会員カードからカードデータが読み取られ（ステップ５０１）、このカードデータを含むカード回収信号が、通信手段を介して会員管理装置３０へ送信される（ステップ５０２）。
【０１２４】
会員管理装置３０の通信手段３１でカード回収信号が受信され（ステップ５０３）、認証手段３５で、そのカード回収信号に含まれるカードデータにもとづきカード認証が行われる（ステップ５０４）。
認証の結果、仮（準）会員カードが正規のものであると判定されたときは、続いて、制御手段４０でカード回収信号が仮（準）会員カードの回収期間内に受信されたか否かが判定される（ステップ５０５）。
【０１２５】
判定の結果、仮（準）会員カードの回収期間内に受信されたものであるときは、カードが使用される周辺機器でその仮（準）会員カードを使用して実行された所定の処理に関するデータは有効とされる（ステップ５０６）。
一方、仮（準）会員カードの回収期間内に受信されなかったとき（未回収カード）は、カードが使用される周辺機器でその仮（準）会員カードを使用して実行された所定の処理に関するデータは無効とされる（ステップ５０７）。
なお、ステップ５０５で正規の仮（準）会員カードでないと判断されたときは、ステップ５０６以降の処理は実行されない。
【０１２６】
以上説明した手順を実行することにより、仮会員カードや準会員カードが回収期間内（例えば、発行日当日）に回収されなければ、カードが使用される周辺機器で仮会員カード等を使用して実行された所定の処理に関するデータのうち未処理のものについては無効とすることができる。なお、遊技場Ａが仮会員カードのお助け処理（翌日に限り精算可能）が行われている場合は、翌日お助け処理を許容してもよい。
【０１２７】
以上、本発明の遊技場システム及び会員認証媒体発行装置の好ましい実施形態について説明したが、本発明に係る遊技場システム及び会員認証媒体発行装置は上述した実施形態にのみ限定されるものではなく、本発明の範囲で種々の変更実施が可能であることは言うまでもない。
【０１２８】
例えば、上述した実施形態では、会員認証媒体発行装置や会員管理装置をそれぞれ一台ずつ備えた構成としているが、それらは一台ずつに限るものではなく、二台以上備えることもできる。
また、会員管理装置と通信が不可能であれば、会員認証媒体発行装置と会員管理装置とリンクせずに、会員認証媒体発行装置が準会員登録を行い、その遊技場の準会員カードを発行するシステムも可能である。
【産業上の利用可能性】
【０１２９】
本発明は、遊技場の会員に関する会員登録データを管理する方法，システム，プログラムについての発明であるため、会員登録データを管理するシステムを有した施設や会場等において利用可能である。
【図面の簡単な説明】
【０１３０】
【図１】本発明の遊技場システムの構成を示すブロック図である。
【図２】会員認証媒体発行装置の外観構成を示す斜視図である。
【図３】会員認証媒体発行装置の内部構造を示す縦方向断面側面図である。
【図４】会員認証媒体発行装置の機能構成を示すブロック図である。
【図５】会員管理装置の機能構成を示すブロック図である。
【図６】会員シールの外観構成を示す斜視図である。
【図７ａ】遊技者ａが会員登録をしている遊技場Ａで会員シールの発行を受け、後日その遊技場Ａで仮会員カードの発行を受ける場合の遊技場システムの動作を示す動作手順図である。
【図７ｂ】遊技者ａが会員登録をしている遊技場Ａで会員シールの発行を受け、後日その遊技場Ａで仮会員カードの発行を受ける場合の遊技場システムの動作を示す動作手順図である。
【図８ａ】遊技者ａが、会員登録をしていない遊技場Ｂで、遊技場Ａ発行の会員シールを用いて初めて準会員カードの発行を受ける場合の遊技場システムの動作を示す動作手順図である。
【図８ｂ】遊技者ａが、会員登録をしていない遊技場Ｂで、遊技場Ａ発行の会員シールを用いて初めて準会員カードの発行を受ける場合の遊技場システムの動作を示す動作手順図である。
【図９ａ】遊技者ａが、会員登録をしていない遊技場Ｂで、遊技場Ａ発行の会員シールを用いて準会員カードの発行を受けるのが二回目以降である場合の遊技場システムの動作を示す動作手順図である。
【図９ｂ】遊技者ａが、会員登録をしていない遊技場Ｂで、遊技場Ａ発行の会員シールを用いて準会員カードの発行を受けるのが二回目以降である場合の遊技場システムの動作を示す動作手順図である。
【図１０】仮会員カード又は準会員カードの有効期間の管理処理に関する遊技場システムの動作を示す動作手順図である。
【図１１】仮（準）会員カードの回収にもとづく所定の処理の有効／無効の判定処理に関する遊技場システムの動作を示す動作手順図である。
【符号の説明】
【０１３１】
１  遊技場システム
１０  会員認証媒体発行装置
１２  カードデータ読取手段
１５  バーコードプリンタ
１６  コート剤塗布手段
１９  シールデータ読取手段
２１  カードデータ書込手段
２４  表示手段（入力手段）
２５  通信手段
２６  記憶手段
２８  制御手段
２８−１  カードデータ処理部
２８−３  シール発行判定部
２８−５  シールデータ処理部
２８−６  カード発行判定部
２８−８  表示（入力）制御部
２８−９  通信制御部
３０  会員管理装置
３１  通信手段
３２  記憶手段
３５  認証手段
３６  発行カード種類決定手段
３７  カード期限管理手段
３８  データ管理手段
３９  処理内容管理手段
５２  遊技情報端末装置
５４  カード精算回収装置
【図１】
2006212328.tif 000003
【図２】
2006212328.tif 000004
【図３】
2006212328.tif 000005
【図４】
2006212328.tif 000006
【図５】
2006212328.tif 000007
【図６】
2006212328.tif 000008
【図７ａ】
2006212328.tif 000009
【図７ｂ】
2006212328.tif 000010
【図８ａ】
2006212328.tif 000011
【図８ｂ】
2006212328.tif 000012
【図９ａ】
2006212328.tif 000013
【図９ｂ】
2006212328.tif 000014
【図１０】
2006212328.tif 000015
【図１１】
2006212328.tif 000016